(57)【要約】      （修正有）【課題】レンズアレイとレンズホルダーとの接着強度の確保と、余剰の接着剤による光路の蹴られ防止とを両立する光書き込み装置及び画像形成装置を提供する。【解決手段】ＯＬＥＤの出射光を感光体ドラムの外周面上に結像させるレンズアレイ２１０の側壁面２１３を、枠状のレンズホルダー２００のスリット２１０内に挿入した状態で、スリット２１０の内壁面２０２に薄層接着によって固定する。側壁面２１３の主走査方向全長に亘って連続的に内壁面２０２に接着される。レンズアレイ２１０は、主走査方向全長のうち有効域部３２０においてＯＬＥＤの出射光を透過させる。内壁面２０２と側壁面２１３との接着領域３１０は、有効域部３２０において側壁面２１３よりも光軸方向に幅狭になっている。また、接着領域３１０は、有効域部３２０よりも無効域部３２１の方が光軸方向に幅広になっている。【選択図】図３
2018144247.tif 000002
【特許請求の範囲】
【請求項１】
ライン状に配列された発光素子の出射光によって被照射体を露光する光書き込み装置であって、
前記出射光を被照射体上に結像させる長尺の光学部材と、
前記光学部材を保持する枠状の保持部材と、を備え、
前記保持部材は、前記光学部材の短尺方向の側壁面に対向する内壁面を当該側壁面に接着することによって、前記光学部材を枠内に保持し、
前記側壁面は長尺方向全長に亘って連続的に前記内壁面に接着され、
前記内壁面と前記側壁面との接着領域は、長尺方向中央部において前記側壁面よりも前記光学部材の光軸方向に幅狭になっており、かつ、
前記接着領域における前記内壁面の表面積は、長尺方向における単位長さ当たりで、長尺方向中央部よりも両端部の方が大きくなっている
ことを特徴とする光書き込み装置。
【請求項２】
前記内壁面のうち、前記接着領域は他の領域よりも前記側壁面側に進出している
ことを特徴とする請求項１に記載の光書き込み装置。
【請求項３】
前記内壁面と前記側壁面は薄層接着されている
ことを特徴とする請求項１又は２に記載の光書き込み装置。
【請求項４】
前記光学部材は、長尺方向全長のうち有効域部において前記発光素子の出射光を透過させ、
前記長尺方向中央部は前記有効域部を含む
ことを特徴とする請求項１から３の何れかに記載の光書き込み装置。
【請求項５】
前記接着領域は、長尺方向中央部よりも両端部の方が光軸方向に幅広になっている
ことを特徴とする請求項１から４の何れかに記載の光書き込み装置。
【請求項６】
前記内壁面は、少なくとも前記接着領域内に１以上の溝部が形成されており、
前記溝部内の容積は、長尺方向中央部の方が両端部よりも大きい
ことを特徴とする請求項１から５の何れかに記載に光書き込み装置。
【請求項７】
前記溝部は、長尺方向における前記側壁面の全長に亘って長尺方向に延設されている
ことを特徴とする請求項６に記載の光書き込み装置。
【請求項８】
前記溝部の光軸方向幅は、長尺方向中央部の方が両端部よりも広い
ことを特徴とする請求項６又は７に記載の光書き込み装置。
【請求項９】
前記溝部の数は、長尺方向中央部の方が両端部よりも多い
ことを特徴とする請求項６から８の何れかに記載の光書き込み装置。
【請求項１０】
前記内壁面は、少なくとも前記接着領域内において、長尺方向中央部の方が両端部よりも表面粗さが細かい
ことを特徴とする請求項１から９の何れかに記載の光書き込み装置。
【請求項１１】
前記内壁面のうち前記接着領域以外の領域は、少なくとも前記側壁面と対向する箇所が、前記接着領域よりも表面粗さが粗くなっている
ことを特徴とする請求項１から１０の何れかに記載の光書き込み装置。
【請求項１２】
前記表面粗さが粗くなっている箇所は、光軸方向における前記被照射体側の方が前記発光素子側よりも表面粗さが細かい
ことを特徴とする請求項１１に記載の光書き込み装置。
【請求項１３】
前記接着領域は、光軸方向における両端がテーパー面になっており、
前記テーパー面は、長尺方向中央部の方が両端部よりも傾斜角度が大きい
ことを特徴とする請求項１から１２の何れかに記載の光書き込み装置。
【請求項１４】
請求項１から１３の何れかに記載の光書き込み装置を備える
ことを特徴とする画像形成装置。
【発明の詳細な説明】
【技術分野】
【０００１】
本発明は、光書き込み装置及び画像形成装置に関し、特に、光学系部材における接着剤による光路蹴られを防止する技術に関する。
【背景技術】
【０００２】
近年、電子写真方式の画像形成装置の技術分野においては、装置の小型化とコスト低減とを目的として、感光体ドラムの外周面を露光して静電潜像を形成する光書き込み装置に、ＯＬＥＤ（Organic Light-Emitting Diode）を光源とするＯＬＥＤ−ＰＨ（OLED Print Head）が注目されている。ＯＬＥＤ−ＰＨは、レンズホルダーに保持されたレンズアレイを用いてＯＬＥＤの出射光を感光体ドラムの外周面上に結像させる。
【０００３】
レンズホルダーにレンズアレイを保持させる際には、図１０（ａ）に例示するように、レンズホルダー１０２０の内壁面１０２２をレンズアレイ１０１０の側面１０１１に沿うように押し狭めた状態で、レンズアレイ１０１０がレンズホルダー１０２０に接着固定される。このため、レンズホルダー１０２０は長尺方向における中央部よりも両端部に近いほど強い反力が作用するので、レンズアレイ１０１０とレンズホルダー２０２０の剥離を生じ易い。
【０００４】
また、レンズホルダー１０２０が樹脂からなっている一方、レンズアレイ１０１０は、長尺方向に列設された２列のロッドレンズ１０１２を樹脂１０１３で集積したものであり、レンズホルダー１０２０とレンズアレイ１０１０との間には線膨張差が存在する。このため、図１０（ｂ）に例示するように、レンズホルダー１０２０とレンズアレイ１０１０とを主走査方向において断続する複数箇所１０３０で接着した場合、接着箇所１０３０ではレンズアレイ１０１０は膨張が制約される。
【０００５】
その結果、温度変化時には、一点鎖線１０３１で示すように、レンズアレイ１０１０が光軸方向や副走査方向に歪んでしまう。このようなレンズアレイ１０１０の歪みを抑制するためには、レンズアレイ１０１０の側面１０１１の全面に亘ってレンズホルダー１０２０の内壁面１０２２を接着するのが望ましい。
【先行技術文献】
【特許文献】
【０００６】
【特許文献１】特開２０１４−９４４７２号公報
【発明の概要】
【発明が解決しようとする課題】
【０００７】
レンズアレイ１０１０の側面１０１１の全体に亘ってレンズホルダー１０２０を接着する際、塗布する接着剤の量が少ないと十分な接着強度が確保できない。上述のように、レンズホルダー１０２０は長尺方向における中央部よりも両端部に近いほど反力が大きいので、接着後に特に両端部においては反力に起因する剥離が発生するおそれがある。このため、十分な量の接着剤を塗布するのが望ましい。
【０００８】
しかしながら、接着剤の塗布量を増やし過ぎると、図１０（ｃ）に示すように、塗布面から光軸方向に接着剤１０４０がはみ出して、ロッドレンズ１０１２の光学面有効域にかかり、ＯＬＥＤの出射光の光路が蹴られて画像に悪影響を与えてしまうおそれがある。
本発明は、上述のような問題に鑑みて為されたものであって、レンズアレイとレンズホルダーとの接着強度の確保と、余剰の接着剤による光路蹴られの抑制とを両立する光書き込み装置及び画像形成装置を提供することを目的とする。
【課題を解決するための手段】
【０００９】
上記目的を達成するため、本発明に係る光書き込み装置は、ライン状に配列された発光素子の出射光によって被照射体を露光する光書き込み装置であって、前記出射光を被照射体上に結像させる長尺の光学部材と、前記光学部材を保持する枠状の保持部材と、を備え、前記保持部材は、前記光学部材の短尺方向の側壁面に対向する内壁面を当該側壁面に接着することによって、前記光学部材を枠内に保持し、前記側壁面は長尺方向全長に亘って連続的に前記内壁面に接着され、前記内壁面と前記側壁面との接着領域は、長尺方向中央部において前記側壁面よりも前記光学部材の光軸方向に幅狭になっており、かつ、前記接着領域における前記内壁面の表面積は、長尺方向における単位長さ当たりで、長尺方向中央部よりも両端部の方が大きくなっていることを特徴とする。
【発明の効果】
【００１０】
このようにすれば、前記接着領域における前記内壁面の表面積は、長尺方向における単位長さ当たりで、長尺方向中央部よりも両端部の方が大きくなっているので、光学部材たるレンズアレイと保持部材たるレンズホルダーとの接着強度を確保することができる。また、前記内壁面と前記側壁面との接着領域が、長尺方向中央部において前記側壁面よりも前記光学部材の光軸方向に幅狭になっており、接着剤の光軸方向への溢れ出しが抑制されるので、余剰の接着剤による光路蹴られ抑制することができる。
【００１１】
この場合において、前記内壁面のうち、前記接着領域は他の領域よりも前記側壁面側に進出しているのが望ましい。
また、前記内壁面と前記側壁面は薄層接着されていてもよい。
また、前記光学部材は、長尺方向全長のうち有効域部において前記発光素子の出射光を透過させ、前記長尺方向中央部は前記有効域部を含んでいてもよい。
【００１２】
また、前記接着領域は、長尺方向中央部よりも両端部の方が光軸方向に幅広になっていてもよい。
また、前記内壁面は、少なくとも前記接着領域内に１以上の溝部が形成されており、前記溝部内の容積は、長尺方向中央部の方が両端部よりも大きくてもよい。
また、前記溝部は、長尺方向における前記側壁面の全長に亘って長尺方向に延設されていてもよい。
【００１３】
また、前記溝部の光軸方向幅は、長尺方向中央部の方が両端部よりも広くてもよい。
また、前記溝部の数は、長尺方向中央部の方が両端部よりも多くてもよい。
また、前記内壁面は、少なくとも前記接着領域内において、長尺方向中央部の方が両端部よりも表面粗さが細かくてもよい。
また、前記内壁面のうち前記接着領域以外の領域は、少なくとも前記側壁面と対向する箇所が、前記接着領域よりも表面粗さが粗くなっていてもよい。
【００１４】
また、前記表面粗さが粗くなっている箇所は、光軸方向における前記被照射体側の方が前記発光素子側よりも表面粗さが細かくてもよい。
また、前記接着領域は、光軸方向における両端がテーパー面になっており、前記テーパー面は、長尺方向中央部の方が両端部よりも傾斜角度が大きくてもよい。
また、本発明に係る画像形成装置は、本発明に係る光書き込み装置を備えることを特徴とする。
【図面の簡単な説明】
【００１５】
【図１】本発明の第１の実施の形態に係る画像形成装置の主要な構成を示す図である。
【図２】光書き込み装置１００の主要な構成を示す図である。
【図３】（ａ）はレンズホルダー２００の平面図であり、（ｂ）はレンズアレイ２１０の平面図であり、（ｃ）はレンズホルダー２００にレンズアレイ２１０を接着した状態を示す平面図であり、（ｄ）はレンズホルダー２００の内壁面２０２を示し、（ｅ）はレンズホルダー２００とレンズアレイ２１０との接着状態を示す断面図である。
【図４】本発明の第２の実施の形態に係るレンズホルダー２００の内壁面２０２に形成された台状部２０３の形状を示す図であって、（ａ）は副走査方向から見た平面図であり、（ｂ）は主走査方向に直交する平面における断面図である。
【図５】溝部２０４が１本である場合の台状部２０３の形状を示す図であって、（ａ）は副走査方向から見た平面図であり、（ｂ）は主走査方向に直交する平面における断面図である。
【図６】本発明の第３の実施の形態に係るレンズホルダー２００の内壁面２０２に形成された台状部２０３の形状を示す図であって、（ａ）は副走査方向から見た平面図であり、（ｂ）は主走査方向に直交する平面における断面図である。
【図７】本発明の第４の実施の形態に係るレンズホルダー２００の内壁面２０２に形成された台状部２０３の形状を副走査方向から見た平面図である。
【図８】本発明の第５の実施の形態に係るレンズホルダー２００の内壁面２０２に形成された台状部２０３の形状を示す図であって、（ａ）は副走査方向から見た平面図であり、（ｂ）は主走査方向に直交する平面における断面図である。
【図９】本発明の第６の実施の形態に係るレンズホルダー２００の内壁面２０２に形成された台状部２０３の形状を示す図であって、（ａ）は副走査方向から見た平面図であり、（ｂ）は主走査方向に直交する平面における断面図である。
【図１０】（ａ）は従来技術に係るＯＬＥＤ−ＰＨの外観斜視図であり、（ｂ）は正面図であり、（ｃ）は断面図である。
【発明を実施するための形態】
【００１６】
以下、本発明に係る光書き込み装置及び画像形成装置の実施の形態について、図面を参照しながら説明する。
［１］第１の実施の形態
まず、本発明の第１の実施の形態について説明する。
（１−１）画像形成装置の構成
まず、本実施の形態に係る画像形成装置の構成について説明する。
【００１７】
図１に示すように、画像形成装置１は、所謂タンデム型のカラープリンター装置である。画像形成装置１は作像部１０１Ｙ、１０１Ｍ、１０１Ｃ及び１０１Ｋを備えており、イエロー（Ｙ）、マゼンタ（Ｍ）、シアン（Ｃ）及びブラック（Ｋ）の各色のトナー像を形成する。作像部１０１Ｙ、１０１Ｍ、１０１Ｃ及び１０１Ｋはそれぞれ光書き込み装置１００Ｙ、１００Ｍ、１００Ｃ及び１００Ｋ、感光体ドラム１１０Ｙ、１１０Ｍ、１１０Ｃ及び１１０Ｋ、帯電装置１１１Ｙ、１１１Ｍ、１１１Ｃ及び１１１Ｋ、現像装置１１２Ｙ、１１２Ｍ、１１２Ｃ及び１１２Ｋ及びクリーナー装置１１４Ｙ、１１４Ｍ、１１４Ｃ及び１１４Ｋを備えている。
【００１８】
カラー画像を形成する際には、作像部１０１Ｙ、１０１Ｍ、１０１Ｃ及び１０１Ｋはまず帯電装置１１１Ｙ、１１１Ｍ、１１１Ｃ及び１１１Ｋにて感光体ドラム１１０Ｙ、１１０Ｍ、１１０Ｃ及び１１０Ｋの外周面を一様に帯電させる。光書き込み装置１００Ｙ、１００Ｍ、１００Ｃ及び１００Ｋは、感光体ドラム１１０Ｙ、１１０Ｍ、１１０Ｃ及び１１０Ｋの外周面に静電潜像を形成し、現像装置１１２Ｙ、１１２Ｍ、１１２Ｃ及び１１２Ｋはトナーを供給して静電潜像を顕像化する。
【００１９】
一次転写ローラー１１３Ｙ、１１３Ｍ、１１３Ｃ及び１１３Ｋは感光体ドラム１１０Ｙ、１１０Ｍ、１１０Ｃ及び１１０Ｋの外周面上に担持されているＹＭＣＫ各色のトナー像を互いに重なり合うように順次、中間転写ベルト１０２上に静電転写する（一次転写）。これによってカラートナー像が形成される。一次転写後、感光体ドラム１１０Ｙ、１１０Ｍ、１１０Ｃ及び１１０Ｋの外周面上に残留するトナーは、クリーナー装置１１４Ｙ、１１４Ｍ、１１４Ｃ及び１１４Ｋにてそれぞれ除去される。
【００２０】
中間転写ベルト１０２は無端状のベルトであって、矢印Ａ方向に回転走行しながらカラートナー像を二次転写ローラー対１０３まで搬送する。これと並行して、給紙トレイ１０４に収容されている記録シートＳが１枚ずつ繰り出され、二次転写ローラー対１０３へ搬送され、二次転写ニップにおいてカラートナー像を静電転写される（二次転写）。その後、記録シートＳは、定着装置１０５にてカラートナー像を熱定着され、排紙トレイ１０６上へ排出される。
【００２１】
以下の内容は、トナー色に関わらず共通するので、ＹＭＣＫの文字を省いて説明する。
（１−２）光書き込み装置１００の構成
次に、光書き込み装置１００の構成について説明する。
図２に示すように、光書き込み装置１００は、ＯＬＥＤパネル２２０、レンズホルダー２００、レンズアレイ２１０及び基準ホルダー２３０を備えている。
【００２２】
ＯＬＥＤパネル２２０は、ガラス基板２２２を有している。ガラス基板２２２上には、ライン状に配列された複数（例えば、１５，０００個）のＯＬＥＤ２２１が実装されている。なお、ＯＬＥＤ２２１は、１列に配列されていてもよいし、複数列が千鳥配置されていてもよい。
レンズアレイ２１０は、長尺部材で、当該長尺方向に２列以上で千鳥配列された複数のロッドレンズ２１１を樹脂２１２にて固着したものであり、長尺方向が主走査方向になるように配設される。レンズアレイ２１０は、ＯＬＥＤ２２１の出射光を感光体ドラム１１０の外周面上に集光する。レンズアレイ２１０としては、例えば、ＳＬＡ（Selfoc lens array。Selfocは日本板硝子株式会社の登録商標。）を用いることができる。
【００２３】
レンズホルダー２００は、長尺の樹脂製部材であって、光軸方向に貫通するスリット２０１を有する枠体である。レンズホルダー２００は、長尺方向が主走査方向になるように配設される。スリット２０１もまたレンズホルダー２００の長尺方向に長尺になっている。レンズホルダー２００は、スリット２０１内にレンズアレイ２１０を挿入した状態で、副走査方向におけるレンズアレイ２１０の側壁面２１３と、スリット２０１の内壁面２０２とを接着固定することによって、レンズアレイ２１０を保持する。
【００２４】
なお、後述のように、スリット２０１の内壁面２０２には副走査方向に進出する台状部分が設けられている。当該台状部分の頂部は平坦面になっており、当該平坦面が接着剤の塗布面である。
基準ホルダー２３０は、ＳＵＳ（Stainless Steel）等の鋼材からなる板金部材である。基準ホルダー２３０の支持面には、レンズホルダー２００とＯＬＥＤパネル２２０とが固定されており、これによってＯＬＥＤ２２１、ロッドレンズ２１１及び感光体ドラム１１０の位置関係が規定される。
（１−３）レンズホルダー２００とレンズアレイ２１０との接着
次に、レンズホルダー２００とレンズアレイ２１０との接着方法について説明する。
【００２５】
接着剤やプラスチック等の高分子物質には、応力が一定であっても時間の経過とともに塑性変形量が増加するクリープ現象が発生する。このクリープ現象は、温度が高いほど塑性変形の速度が速くなる。一般的に、ＯＬＥＤ光源はＬＥＤ等と比較して発熱量が多いので、ＯＬＥＤ−ＰＨでは、レンズホルダーとレンズアレイとを接着する接着剤のクリープ現象による塑性変形が加速され、レンズホルダーとレンズアレイとの位置関係が変動し易い。
【００２６】
レンズホルダーとレンズアレイとの位置関係が変動すると、レンズホルダー並びにＯＬＥＤパネルを支持する基準ホルダーとレンズアレイとの位置関係が変動するので、ＯＬＥＤとレンズアレイとの位置関係が変動してしまう。ＯＬＥＤは光の取り出し効率が低いという欠点があり、かかる欠点を補うべくＯＬＥＤの出射光の利用効率を向上させるためにＯＬＥＤとレンズアレイとは互いに近い距離に配設される。
【００２７】
このような配置によって、ＯＬＥＤとレンズアレイの位置関係の変動に対する結像状態の変動の感度が高くなっており、接着剤のクリープ現象に起因するレンズホルダーとレンズアレイとの位置関係の変動によって画質の低下が引き起こされるおそれがある。これに対して、レンズホルダーとレンズアレイとを薄層接着すれば、クリープ現象によるレンズホルダーとレンズアレイとの位置関係の変動を抑制することができる。このため、本実施の形態においては、レンズホルダー２００とレンズアレイ２１０とを薄層接着する。
【００２８】
また、上述のように、主走査方向において断続する複数個所でレンズホルダーとレンズアレイとを接着すると、温度変化に起因するレンズホルダーとレンズアレイとの線膨張差によってレンズアレイが光軸方向や副走査方向へ歪んでしまう。このため、本実施の形態においては、図３（ａ）に示すように、レンズアレイ２１０の側壁面２１３を主走査方向における全長に亘ってレンズホルダー２００のスリット２０１の内壁面２０２に接着する。
【００２９】
なお、本実施の形態においては、図３（ａ）に示すように、レンズホルダー２００は、光書き込み装置１００に組み込まれておらず、且つ外力を加えられていない状態で光軸方向から平面視すると、主走査方向におけるスリット２０１の中央部分の副走査方向における幅が、主走査方向におけるスリット２０１の両端部分の副走査方向における幅よりも小さな枠体になっている。
【００３０】
また、レンズアレイ２１０は、図３（ｂ）に示すように、光軸方向からの平面視において、副走査方向における幅が、副走査方向におけるレンズホルダー２００のスリット２０１の幅よりも大きくなっている。一方、主走査方向におけるレンズアレイ２１０の幅は、主走査方向におけるスリット２０１の幅よりも小さい。
スリット２０１の内壁面２０２に接着剤を塗布した後、スリット２０１を副走査方向に押し広げた状態でスリット２０１内にレンズアレイ２１０を挿入し、スリット２０１を押し広げるのを止めると、上述のように、スリット２０１の内壁面２０２とレンズアレイ２１０の側壁面２１３とを接着することができる。
【００３１】
また、レンズアレイ２１０に対するレンズホルダー２００の押圧力の反力に起因して主走査方向における端部でレンズホルダー２００とレンズアレイ２１０とが剥離するのを防止するために、塗布する接着剤を多くし過ぎると、光軸方向に漏れた余剰の接着剤によって、光路が蹴られるおそれがある。
このため、本実施の形態においては、図３（ｄ）に示すように、接着領域３１０が、主走査方向におけるレンズアレイ２１０の中央部の有効域部（レンズアレイ２１０を構成する各ロッドレンズ２１１の光学面のうちＯＬＥＤ２２１の出射光が通過する領域である光学面有効域を含む部分）３２０において両端部の無効域部（主走査方向における有効域部３２０以外の部分）３２１よりも光軸方向に幅狭になっている。詳述すると、接着領域３１０の光軸方向における感光体ドラム１１０側の端部（以下、「上端」という。）は有効域部３２０よりも無効域部３２１において高くなっており、且つ接着領域３１０の光軸方向における下端は有効域部３２０よりも無効域部３２１において低くなっている。
【００３２】
このようにすれば、有効域部３２０では、接着剤があふれた時の逃げ場が無効域部３２１よりも大きいので、光軸方向への接着剤のはみ出し量が少なくなる。従って、はみ出した接着剤が各ロッドレンズ２１１の光学面有効域上に進出することによって光路蹴られが発生するのを防止することができる。また、無効域部３２１では、接着領域３１０の光軸方向幅が有効域部３２０よりも大きいという意味において接着強度が高くなっている。従って、レンズホルダー２００の反力が特に大きくなる主走査方向両端部側において十分な接着強度を確保することができるので、レンズホルダー２００とレンズアレイ２１０との剥離を防止することができる。
【００３３】
更に、図３（ｅ）に示すように、スリット２０１の内壁面２０２には他の部分よりも副走査方向に進出した台状部２０３が設けられている。台状部２０３の頂部は平坦になっており、この平坦な頂部が接着領域３１０である。接着剤を含んだローラーを台状部２０３の頂部に沿って転がすと、スリット２０１の内壁面２０２のうち台状部２０３の平坦な頂部にのみ接着が塗布される。このため、図３（ｄ）に示す接着領域３１０は台状部２０３の平坦な頂部に一致している。
【００３４】
台状部２０３の平坦な頂部に接着剤を塗布し、スリット２０１内にレンズアレイ２１０を挿入した状態で、レンズアレイ２１０の側壁部２１３にスリット２０１の内壁面２０２が近づくように、レンズホルダー２００を歪ませてゆくと、塗布領域３１０が側壁部２１３に押し付けられることによって、接着領域３１０に塗布された接着剤が接着面（台状部２０３の平坦な頂部）全体に沿って広がってゆく。
【００３５】
薄膜接着に必要な塗布量を超えて塗布された余剰の接着剤は、接着領域３１０からはみ出しても、有効域部３２０においては接着領域３１０の上端からレンズアレイ２１０の上端までの距離が長いため、レンズアレイ２１０の上端に到達することはない。このため、余剰の接着剤による光路蹴られを防止することができる。
また、無効域部３２１においてはレンズアレイ２１０中をＯＬＥＤ２１２の出射光が透過しないので、余剰の接着剤がレンズアレイ２１０の状態に到達しても光路蹴られは発生しない。また、無効域部３２１においては、光軸方向において接着領域３１０が幅広になっており、接着面積（接着に寄与する表面積）が大きいので、接着強度を高めることができる。
［２］第２の実施の形態
次に、本発明の第２の実施の形態について説明する。本実施の形態に係る画像形成装置は上記第１の実施の形態に係る画像形成装置と概ね共通の構成を備える一方、台状部２０３の形状において相違している。以下、もっぱら相違点に着目して本実施の形態を説明する。なお、本明細書においては、実施の形態及び変形例の間で共通する部材等については共通の符号が付与されている。
【００３６】
図４に示すように、レンズホルダー２００の内壁面２０２上には、主走査方向に長尺の台状部２０３と、同じく主走査方向に長尺の溝部２０４とが何れも複数設けられている。溝部２０４は、それぞれ光軸方向において台状部２０３に挟まれている。なお、本実施の形態においては、溝部２０４の底面は内壁面２０２の接着領域以外の領域と副走査方向において同じ高さになっているが、後述のように異なっていてもよい。
【００３７】
副走査方向からの平面視において、接着領域３１０の外形は複数の台状部２０３全体の外形に一致しており、当該外径の光軸方向幅は、本実施の形態においては主走査方向に一定になっているが、変化してもよい。例えば、主走査方向中央部では当該外形が幅狭になり、端部では幅広になっていてもよい。
個々の台状部２０３の光軸方向幅は、主走査方向端部では広く、中央部では狭くなっている。これとは逆に、個々の溝部２０４の光軸方向幅は、主走査方向端部では狭く、中央部では広くなっている。本実施の形態においては、台状部２０３及び溝部２０４の幅が主走査方向に沿って連続的に変化するが、台状部２０３及び溝部２０４の幅は段階的かつ不連続に変化してもよい。
【００３８】
また、本実施の形態においては、台状部２０３の頂部と溝部２０４の底面との何れも平坦になっているが、溝部２０４の底面は必ずしも平坦でなくてもよい。
台状部２０３の頂部に接着剤を塗布して、レンズアレイ２１０の側壁面２１３に沿うようにレンズホルダー２００の内壁面２０２を歪ませてゆくと、内壁面２０２上の接着剤に側壁面２１３が圧接することによって、接着剤が内壁面２０２に沿って主走査方向及び光軸方向に広がる。
【００３９】
主走査方向中央部では、台状部２０３の頂部の方が溝部２０４よりも幅が広いので、頂部に塗布される接着剤量と比較して、溝部２０４内に流入することができる接着剤量の方が多い。このため、頂部から溢れた接着剤は溝部２０４内に溜まり易いので、接着領域３１０から外部へ光軸方向に漏れる接着剤量を低減することができる。
また、主走査方向端部では、中央部と比較して、台状部２０３の平坦な頂部の光軸方向幅が広く、接着面積が大きいので、レンズホルダー２００とレンズアレイ２１０との接着強度を高めることができる。
【００４０】
なお、主走査方向中央部では端部よりも溝部２０４を深くすれば、中央部においては溝部２０４内に流入できる接着剤量を多くすることができるので、接着剤の漏れを更に確実に低減することができる。また、端部においては、溝部２０４内に流入できる接着剤量を少なくすることによって、レンズホルダー２００とレンズアレイ２１０との接着固定に寄与する接着剤量を更に確保し易くなり、接着強度を確実に高めることができる。
【００４１】
また、副走査方向からの平面視において、接着領域３１０の内部に溝部２０４が設けられているので、光軸方向における接着領域３１０の両端部でレンズホルダー２００とレンズアレイ２１０とが薄層接着によって固定される。従って、レンズアレイ２１０の光軸が副走査方向に傾くのを抑制することができるので、光軸の傾斜により露光不良を抑制して、高い画像品質を達成することができる。
【００４２】
なお、図５に示すように、溝部２０４の本数が１本だけである場合も、光軸方向における接着領域３１０の両端部でレンズホルダー２００とレンズアレイ２１０とが薄層接着によって固定され、レンズアレイ２１０の光軸が副走査方向に傾くのを抑制することができるので、同様の効果を得ることができる。
［３］第３の実施の形態
次に、本発明の第３の実施の形態について説明する。本実施の形態に係る画像形成装置は上記第２の実施の形態に係る画像形成装置と概ね共通の構成を備える一方、台状部２０３の形状において相違している。以下、もっぱら相違点に着目して本実施の形態を説明する。
【００４３】
図６に示すように、本実施の形態においては、複数の溝部２０４それぞれの光軸方向幅は主走査方向における位置に関わらず一定になっている一方、主走査方向における有効域部３２０内であるか無効域部３２１内であるかによって溝部２０４の本数が異なっている。具体的には、有効域部３２０内では溝部２０４の本数が４本、無効域部３２１内では溝部２０４の本数が２本になっており、有効域部３２０内の方が無効域部３２１内よりも溝部２０４の本数が多くなっている。
【００４４】
従って、有効域部３２０においては溝部２０４の本数が多い分だけ溝部２０４内に流入できる接着剤量が多いので、上記第２の実施の形態と同様に、接着剤が溢れ出るのを抑制することができる。また、無効域部３２１においては、溝部２０４の本数が少ない分だけ台状部２０３の平坦な頂部の面積、換言すると接着面積が大きいので、上記第２の実施の形態と同様に、レンズホルダー２００とレンズアレイ２１０との接着強度を高めることができる。
【００４５】
本実施の形態においても、有効域部３２０において無効域部３２１よりも溝部２０４を深くすれば、接着剤の溢れを抑制したり、接着強度を高めたりする効果を向上させることができる。
また、溝部２０４の本数を有効域部３２０と無効域部３２１とで異ならせる代わりに、主走査方向における有効域部３２０を含む中央部又は有効域部３２０に含まれる中央部と、両端部とで溝部２０４の本数を異ならせてもよい。また、溝部２０４の本数を３段階以上に異ならせてもよい。
［４］第４の実施の形態
次に、本発明の第４の実施の形態について説明する。本実施の形態に係る画像形成装置は上記第１の実施の形態に係る画像形成装置と概ね共通の構成を備える一方、台状部２０３の形状において相違している。以下、もっぱら相違点に着目して本実施の形態を説明する。
【００４６】
図７に示すように、本実施の形態に係る台状部２０３の頂部は、主走査方向における有効域部３２０内では平坦である一方、無効域部３２１内では有効域部３２０内よりも表面粗さが粗くなっている。このようにすれば、無効域部３２１内において頂部が平坦になっている場合と比較して、無効域部３２１内の表面積を増大させることができるので、レンズホルダー２００とレンズアレイ２１０との接着強度を高めることができる。
【００４７】
また、図７においては、主走査方向における接着領域３１０の全長に亘って、接着領域３１０の光軸方向幅が、上記第１の実施の形態における有効域部３２０内の接着領域３１０の光軸方向幅と同じになっているが、無効域部３２１内の表面粗さを粗くすることによって、接着に寄与する表面積が大きくなっているので、上記第１の実施の形態における無効域部３２１と同程度の接着強度が得られている。
【００４８】
言うまでもなく、有効域部３２０内では接着領域３１０の光軸方向幅が上記第１の実施の形態と同じになっているので、接着剤の溢れ出しに起因する光路蹴られを抑制することができる。
［５］第５の実施の形態
次に、本発明の第５の実施の形態について説明する。本実施の形態に係る画像形成装置は上記第１の実施の形態に係る画像形成装置と概ね共通の構成を備える一方、台状部２０３の形状において相違している。以下、もっぱら相違点に着目して本実施の形態を説明する。
【００４９】
図８（ａ）に示すように、本実施の形態に係る台状部２０３の頂部は、主走査方向における全長が上記第１の実施の形態に係る台状部２０３の頂部の主走査方向における全長と同じになっている。また、本実施の形態に係る頂部は、主走査方向における全長に亘って光軸方向幅が一定になっており、その長さは上記第１の実施の形態に係る頂部の無効域部３２１内での光軸方向幅と同じである。
【００５０】
更に、実施の形態に係る頂部は、上記第１の実施の形態に係る頂部に相当する領域８０１においては平坦になっている一方、頂部の他の領域（有効域部３２０内における光軸方向両端側）においては表面粗さが平坦部よりも粗い粗面部８００ａ、８００ｂになっている。感光体ドラム１１０側の粗面部８００ａはＯＬＥＤパネル２２０側の粗面部８００ｂよりも表面粗さが粗くなっている。接着剤は平坦部８０１のみに塗布されるため、塗布領域８０１は有効域部３２０内では光軸方向に幅狭で、無効域部３２１内では幅広になっている。
【００５１】
このようにすれば、レンズホルダー２００とレンズアレイ２１０との接着時においては、有効域部３２０内に塗布された接着剤は主走査方向及び光軸方向に広がってゆき、接着剤の一部は粗面部８００に達する。粗面部８００では表面粗さが粗いため、接着剤が進み難く、光軸方向への接着剤のはみ出しが抑制される。
また、図８（ｂ）に示すように、光軸方向について、レンズホルダー２００の内壁面２０２はレンズアレイ２１０よりも短くなっている。内壁面２０２の感光体ドラム１１０側端部からレンズアレイ２１０の感光体ドラム１１０側端部までの距離ｄ１は、内壁面２０２のＯＬＥＤパネル２２０側端部からレンズアレイ２１０のＯＬＥＤパネル２２０側端部までの距離ｄ２よりも長くなっている。
【００５２】
一般的に、レンズアレイ２１０の感光体ドラム１１０側はトナー等のゴミが付着し易く、ロッドレンズ２１１の光学面を清掃する必要がある。ロッドレンズ２１１の光学面がレンズホルダー２００の感光体ドラム１１０側端部よりもＯＬＥＤパネル２２０側に後退していると、光学面を清掃した際に隅に汚れが残り易い。これに対して、ロッドレンズ２１１の光学面をレンズホルダー２００の感光体ドラム１１０側端部よりも感光体ドラム１１０側に進出させておけば、清掃後に汚れが残り難くすることができる。
【００５３】
レンズアレイ２１０のＯＬＥＤパネル２２０側端部については、レンズホルダー２００とレンズアレイ２１０との接着面積を確保する都合上、レンズホルダー２００の内壁面２０２のＯＬＥＤパネル２２０側端部から大幅に進出させることは難しい。
しかしながら、レンズアレイ２１０のＯＬＥＤパネル２２０側端部から内壁面２０２のＯＬＥＤパネル２２０側端部までの距離ｄ２が短いと、光軸方向におけるＯＬＥＤパネル側が鉛直方向下方になるように光書き込み装置１００が画像形成装置１に取着されて、接着剤がＯＬＥＤパネル２２０側に垂れた場合に、ロッドレンズ２１１のＯＬＥＤパネル２２０側の光学面に接着剤が到達して、光路蹴られが発生するおそれがある。
【００５４】
これに対して、粗面部８００ｂの表面粗さを粗面部８００ａよりも粗くすれば、ＯＬＥＤパネル２２０側へ接着剤が垂れるのをより強力に抑制することができるので、ＯＬＥＤパネル２２０側での光路蹴られの発生を抑制することができる。
なお、ＯＬＥＤパネル２２０側の粗面部８００ｂの表面粗さが光路蹴られを十分抑制できる程度に粗くなっていれば、感光体ドラム１１０側の粗面部８００ａとＯＬＥＤパネル２２０側の粗面部８００ｂとで表面粗さが等しくなっていてもよい。
【００５５】
また、レンズホルダー２００の内壁面２０２の感光体ドラム１１０側端部からレンズアレイ２１０の感光体ドラム１１０側端部までの距離ｄ１が十分長い場合には、感光体ドラム１１０側の粗面部８００ａを粗面にせず平坦にしてもよい。
［６］第６の実施の形態
次に、本発明の第６の実施の形態について説明する。本実施の形態に係る画像形成装置は上記第１の実施の形態に係る画像形成装置と概ね共通の構成を備える一方、台状部２０３の形状において相違している。以下、もっぱら相違点に着目して本実施の形態を説明する。
【００５６】
図９（ａ）に示すように、本実施の形態に係る台状部２０３は光軸方向における頂部の幅が主走査方向に沿って連続的に変化して、中央部で最も狭く両端部で最も広くなっている。また、図９（ｂ）に示すように、光軸方向における台状部２０３の両端はテーパー面になっており、台状部２０３以外の内壁面２０２に対するテーパー面の傾斜角度もまた主走査方向に沿って連続的に変化し、中央部では傾斜角度が最も大きく、両端部では最も小さくなっている。
【００５７】
このようにすれば、主走査方向中央部においては、テーパー面９００ａの傾斜角度が大きいので、台状部２０３の頂部に塗布された接着剤が光軸方向に溢れ出しても、内壁面２０２とレンズアレイ２１０との間に溜めることができるので、溢れ出した接着剤が光軸方向に進み難く、光軸蹴られのリスクを軽減することができる。
また、主走査方向両端部においては、テーパー面９００ｂの傾斜角度が小さく、テーパー面９００ｂとレンズアレイ２１０との接着層が薄く接着強度が高い領域の面積（接着に寄与する表面積）が広くなっているので、中央部と比較して接着強度を高めることができる。
［７］変形例
以上、本発明を実施の形態に基づいて説明してきたが、本発明が上述の実施の形態に限定されないのは勿論であり、以下のような変形例を実施することができる。
【００５８】
（１）上記実施の形態においては、溝部２０４が主走査方向に長尺である場合を例にとって説明したが、本発明がこれに限定されないのは言うまでもなく、主走査方向以外の方向に長尺になっていてもよい。溝部２０４の長尺方向が何れの方向になっているかに関わらず、主走査方向中央部では溝部２０４を幅広にし、端部では幅狭にすれば、中央部では余剰の接着剤を収容して光路蹴られを防止し、端部では接着面積を大きくして接着強度を確保することができる。
（２）上記実施の形態においては、主走査方向における有効域部３２０と無効域部３２１とで、レンズホルダー２００とレンズアレイ２１０との接着に寄与する主走査方向における単位長さ当たりの表面積を異ならせる場合を例にとって説明したが、本発明がこれに限定されないのは言うまでもなく、主走査方向における有効域部３２０よりも無効域部３２１において接着に寄与する主走査方向における単位長さ当たりの表面積を大きくすれば、何れの実施の形態においても同様の効果を得ることができる。
（３）上記実施の形態においては、台状部２０３に溝部２０４を設ける場合を例にとって説明したが、本発明がこれに限定されないのは言うまでもなく、溝部２０４に代えて凹部を設けてもよい。台状部２０３に設けるのが溝部２０４であっても凹部であっても、主走査方向における単位長さ当たりで、主走査方向中央部の方が両端部よりも溝部２０４や凹部の容積が大きくなっていれば、中央部においては余剰の接着剤を溝部２０４や凹部に流入させることによって光軸方向への接着剤の溢れ出しを抑制することができるので、光路蹴られを抑制することができる。また、両端部においては、中央部よりも接着面積を大きくすることができるので、接着強度を高めることができる。なお、溝部２０４と凹部とを混在させてもよいことは言うまでもない。
（４）上記実施の形態においては、画像形成装置がタンデム型のカラープリンターである場合を例にとって説明したが、本発明がこれに限定されないのは言うまでもなく、タンデム型以外のカラープリンターやモノクロプリンターであってもよい。また、スキャナーを備えた複写装置や更にファクシミリ通信機能を備えたファクシミリ装置といった単機能機、或いはこれらの機能を兼ね備えた複合機（MFP: Multi-Function Peripheral）に本発明を適用しても同様のこうかを得ることができる。
【産業上の利用可能性】
【００５９】
本発明に係る光書き込み装置及び画像形成装置は、光学系部材における接着剤による光路蹴られを防止する装置として有用である。
【符号の説明】
【００６０】
１………画像形成装置
１００…光書き込み装置
２００…レンズホルダー
２０１…スリット
２０２…内壁面
２０３…台状部
２０４…溝部
２１０…レンズアレイ
２１３…側壁面
３００…接着剤
３１０…接着領域
【図１】
2018144247.tif 000003
【図２】
2018144247.tif 000004
【図３】
2018144247.tif 000005
【図４】
2018144247.tif 000006
【図５】
2018144247.tif 000007
【図６】
2018144247.tif 000008
【図７】
2018144247.tif 000009
【図８】
2018144247.tif 000010
【図９】
2018144247.tif 000011
【図１０】
2018144247.tif 000012